(57)【特許請求の範囲】
【請求項１】
移動側、固定側のうちのどちらか一方に設けられたストライカと、
移動側、固定側のうちの他方に設けられ、前記ストライカが進入可能な溝が形成され、前記ストライカが前記溝に進入可能なアンロック位置から前記ストライカの前記溝からの離脱を禁止するロック位置まで回転可能なフックと、
回転可能に設けられ、前記ロック位置に位置する前記フックに係合することにより前記フックの回転を禁止するポールと、
前記フックと前記ポールとが係合する方向に付勢する付勢部材と、
を有し、
前記フックの周部に、
周面から内部に向かって形成された凹部と、
前記凹部と前記溝との間に形成され、前記フックの回転方向と交差する第１面とが形成され、
前記ポールに、
前記フックの凹部に係脱可能な凸部と、
前記ロック位置に位置する前記フックと係合した状態において、前記フックのアンロック位置方向への回転で前記第１面が当接可能な第２面と、
が形成されたことを特徴とするロック装置。
【請求項２】
前記フックの凹部は、
前記フックの回転平面上の幅が前記内部に行くに従って狭くなることを特徴とする請求項１記載のロック装置。
【請求項３】
前記フックがロック位置に位置する際に、
前記フックの第１面と前記ポールの第２面との間には、隙間があることを特徴とする請求項１または２記載のロック装置。
【請求項４】
前記フックの第１面は平面であり、
前記ポールの第２面は曲面であることを特徴とする請求項１乃至３のいずれか記載のロック装置
【請求項５】
前記曲面は、円弧面であることを特徴とする請求項４記載のロック装置。
【請求項６】
前記円弧面の中心は、前記ポールの回転中心軸上にあることを特徴とする請求項５記載のロック装置。
【発明の詳細な説明】
【技術分野】
【０００１】
本発明は、ロック装置、例えば、車体に対して開閉可能なドアや、車体に対して脱着可能なシートを車体に固定するロック装置に関する。
【背景技術】
【０００２】
ロック装置の一例として、図３に示すものがある。図３は従来のロック装置の構成図である。
【０００３】
ドア側（移動側）、ボデー側（固定側）の内のどちらか一方に設けられたベース１には、ドア側（移動側）、ボデー側（固定側）の内の他方に設けられたストライカ３が進入可能な溝１ａが形成されている。
【０００４】
溝１ａを挟んで、一方の側には、ピン５を用いてフック７が回転可能に設けられている。溝１ａを挟んで、他方の側には、ピン９を用いてポール１１が回転可能に設けられている。
【０００５】
フック７には、ストライカ３が進入可能な溝７ａが形成されている。また、フック７の周部には、凸部７ｂが形成されている。
【０００６】
尚、図３に示す状態のフック７は、ストライカ３が溝７ａからの離脱を禁止されたロック位置にある。また、図３に示す状態から時計方向に略４５°回転したフック７の状態は、溝７ａにストライカ３が進入可能なアンロック位置である。
【０００７】
ポール１１のフック７側の側部には、フック７の凸部７ｂが係合可能な凹部１１ａが形成されている。
【０００８】
そして、一端部がフック７に、他端部がポール１１に係止されたスプリング１３により、フック７がアンロック位置方向（図において矢印Ａ方向）に、ポール１１はフック７方向（図において、矢印Ｂ方向）に付勢されている。
【０００９】
更に、ポール１１には、ロック解除ケーブル１５が接続されている。
【００１０】
次に、上記構成の作動を説明する。
【００１１】
フック７がロック位置にある図２の状態は、フック７の凸部７ｂと、ポール１１の凹部１１ａとが係合し、フック７のアンロック方向への回転が禁止され、ストライカ３はフック７の溝７ａから離脱できない状態である（ロック状態）。
【００１２】
ここで、スプリング１３の付勢力に抗してロック解除解除ケーブル１５を引くと、ポール１１がフック７から離れ、フック７の凸部７ｂとポール１１の凹部１１ａとの係合が解除され、フック７はスプリング１３の付勢力により、アンロック位置方向に回転し、ストライカ３はフック７の溝７ａから離脱できる状態となる（アンロック状態）。
【００１３】
逆に、アンロック状態にある場合、ストライカ３でフック７の溝７ａの内壁面を押すと、フック７はスプリング１３の付勢力に抗してロック位置方向へ回転する。そして、フック７の凸部７ｂと、ポール１１の凹部１１ａとが係合し、フック７のアンロック方向への回転が禁止され、ストライカ３はフック７の溝７ａから離脱できない状態でロック状態となる（例えば、特許文献１参照。）。
【先行技術文献】
【特許文献】
【００１４】
【特許文献１】特許第４３２５７９４号（図２、図３）
【発明の開示】
【発明が解決しようとする課題】
【００１５】
しかし、図３に示す従来のロック装置の構成において、ロック状態で、フック７をアンロック位置方向へ回転させる大きな力が作用すると、フック７の凸部７ｂまたは鉤部７ｃが変形したり、ポール１１の凹部１１ａが変形したりして、フック７がアンロック位置方向に回転し、ロック状態が破られる問題点がある。
【００１６】
本発明は、上記問題点に鑑みてなされたもので、その課題は、ロック強度が高いロック装置を提供することにある。
【課題を解決するための手段】
【００１７】
本願発明は、移動側、固定側のうちのどちらか一方に設けられたストライカと、移動側、固定側のうちの他方に設けられ、前記ストライカが進入可能な溝が形成され、前記ストライカが前記溝に進入可能なアンロック位置から前記ストライカの前記溝からの離脱を禁止するロック位置まで回転可能なフックと、回転可能に設けられ、前記ロック位置に位置する前記フックに係合することにより前記フックの回転を禁止するポールと、前記フックと前記ポールとが係合する方向に付勢する付勢部材と、を有し、前記フックの周部に、周面から内部に向かって形成された凹部と、前記凹部と前記溝との間に形成され、前記フックの回転方向と交差する第１面とが形成され、前記ポールに、前記フックの凹部に係脱可能な凸部と、前記ロック位置に位置する前記フックと係合した状態において、前記フックのアンロック位置方向への回転で前記第１面が当接可能な第２面と、が形成されたことを特徴とするロック装置である。
【００１８】
上記ロック装置において、前記フックの凹部は、前記フックの回転平面上の幅が前記内部に行くに従って狭くなることが望ましい。
【００１９】
また、前記フックがロック位置に位置する際に、前記フックの第１面と前記ポールの第２面との間には、隙間があることが望ましい。
【００２０】
更に、前記フックの第１面は平面であり、前記ポールの第２面は曲面であることが望ましい。
【００２１】
また、曲面は、円弧面であることが望ましい。
【００２２】
更に、円弧面の中心は、前記ポールの回転中心軸上にあることが望ましい。
【発明の効果】
【００２３】
本願発明によれば、前記フックの周部に、周面から内部に向かって形成された凹部と、前記凹部と前記溝との間に形成され、前記フックの回転方向と交差する第１面とが形成され、前記ポールに、前記フックの凹部に係脱可能な凸部と、前記ロック位置に位置する前記フックと係合した状態において、前記フックのアンロック位置方向への回転で前記第１面が当接可能な第２面と、が形成されたことにより、前記ロック位置にある前記フックの前記溝に前記ストライカが進入し、前記フックに前記ポールが係合して、前記フックの回転が禁止された状態で、前記フックをアンロック位置方向へ回転させる大きな力が作用し、前記フックや前記ポールが変形し、前記フックがアンロック位置方向へ回転しようとしても、前記フックの前記第１面が前記ポールの前記第２面に当接し、前記フックのアンロック位置方向への回転を禁止するので、ロック強度が高い。
【００２４】
前記フックの凹部は、前記フックの回転平面上の幅が前記内部に行くに従って狭くなることにより、ポールの凸部が必ずフックの凹部のフックの回転方向と交差する２つの壁面に当接する。よって、ロック状態において、フックとポールとの係合部分でのガタ音がない。
【００２５】
また、前記フックがロック位置に位置する際に、前記フックの第１面と前記ポールの第２面との間には、隙間があることにより、通常はフックの凹部とポールの凸部との１カ所の係合だけで、フックのアンロック位置方向への回転を禁止するので、フックとポールとの係合がスムーズとなる。
【００２６】
更に、前記フックの第１面は平面であり、前記ポールの第２面は曲面であることにより、ポールの第２面を押す力の方向をコントロールできる。よって、ポールの強度設計が容易となる。
【００２７】
また、曲面は円弧面であることにより、ポールの第２面を押す力は円弧面の中心に向かう。よって、ポールに作用する力の方向が一定となり、ポールの強度設計が容易となる。
【００２８】
更に、曲面の中心は、前記ポールの回転中心軸上にあることにより、ポールに大きな曲げモーメントが発生せず、ポールの強度を必要以上に大きくすることがなく、ロック装置の軽量化、コストダウンを図れる。
【図面の簡単な説明】
【００２９】
【図１】本実施形態のロック装置で、ロック状態を示す構成図である。
【図２】図１においてアンロック状態を示す構成図である。
【図３】従来のロック装置を説明する図である。
【発明を実施するための形態】
【００３０】
次に図面を用いて本発明の実施の形態を説明する。
【００３１】
最初に、図１、図２を用いて、本実施形態のロック装置を説明する。図１は本実施形態のロック装置で、ロック状態を示す構成図、図２は図１においてアンロック状態を示す構成図である。
【００３２】
これらの図おいて、ドア側（移動側）、ボデー側（固定側）の内のどちらか一方に設けられたベース５１には、ドア側（移動側）、ボデー側（固定側）の内の他方に設けられたストライカ５３が進入可能な溝５１ａが形成されている。
【００３３】
溝５１ａを挟んで、ベース５１の一方の側には、ピン５５を用いてフック５７が回転可能に設けられている。溝５１ａを挟んで、ベース５１の他方の側には、ピン５９を用いてポール６１が回転可能に設けられている。
【００３４】
フック５７には、ストライカ５３が進入可能な溝５７ａが形成されている。また、フック５７の周部には、フック５７のアンロック位置への回転方向に沿って、第１凸部５７ｂ、第２凸部５７ｃが形成されている。第１凸部５７ｂと第２凸部５７ｃとの間、即ち、第１凸部５７ｂのフック５７のアンロック位置への回転方向側の壁面と、第２凸部５７ｃフック５７のロック位置への回転方向側の壁面との間には、周面から内部に向かって形成された凹部５７ｄが形成されている。この凹部５７ｄは、フック５７の回転平面上の幅（図２において、ｗで示す）が内部に行くに従って狭くなっている。凹部５７ｄよりフック５７のアンロック位置への回転方向側に位置する第２凸部５７ｃのフック５７のアンロック位置への回転方向側の壁面は、フック５７の回転方向と交差する第１面５７ｇとなっている。
【００３５】
ポール６１のフック５７と対向する面には、フック５７の凹部５７ｄに係脱可能な凸部６１ａが形成されている。また、ポール６１のフック５７と対向する面には、フック５７の第２凸部５７ｃが係脱可能な凹部６１ｂが形成されている。この凹部６１ｂの壁面農地の一方の壁面は、フック５７の第１面５７ｇが当接可能な第２面６１ｃとなっている。
【００３６】
尚、本実施形態では、図１に示すように、フック５７がロック位置に位置する際では、フック５７の第１面５７ｇとポール６１の第２面６１ｃとの間には、隙間（ｓ）があるように、フック５７の第２凸部５７ｃとポール６１の凹部６１ｂとは設定されている。
【００３７】
更に、フック５７の第１面５７ｇは、平面であり、ポール６１の第２面６１は、ポール６１の回転中心軸（Ｏ）を中心とした円弧面とした。
【００３８】
そして、一端部がフック５７に、他端部がポール６１に係止された付勢部材としてのスプリング６３により、フック５７がアンロック位置方向（図において矢印Ｃ方向）に、ポール６１はフック５７方向（図において、矢印Ｄ方向）に付勢されている。
【００３９】
次に、上記構成の作動を説明する。
【００４０】
フック５７がロック位置にある図１の状態は、フック５７の凹部５７ｄと、ポール６１の凸部６１ａとが係合し、フック５７のアンロック方向への回転が禁止され、ストライカ５３はフック５７の溝５７ａから離脱できない状態である（ロック状態）。
【００４１】
ここで、スプリング６３の付勢力に抗して、ポール６１を反矢印Ｄ方向に回転させると、ポール６１はフック５７から離れ、フック５７の凹部５７ｄと、ポール６１の凸部６１ａとが係合が解除され、フック５７はスプリング６３の付勢力により、図２に示すアンロック位置方向に回転し、ストライカ５３はフック５７の溝５７ａから離脱できる状態となる（アンロック状態）。
【００４２】
尚、本実施形態では、ベース５１のフック５７が設けられる側には、ストッパ６３が形成されている。一方、フック５７の周面には、フック５７がロック位置に位置している時（図１の状態）に、ストッパ６３に当接可能なロックストッパ面５７ｅが形成されている。また、フック５７の周面には、フック５７がアンロック位置に位置している時（図２の状態）に、ストッパ６３に当接可能なアンロックストッパ面５７ｆが形成されている。よって、フック５７は、アンロック位置からロック位置まで回転可能となっている。
【００４３】
逆に、アンロック状態にある場合、ストライカ５３でフック５７の溝５７ａの開口部近傍の面５７ｈを押すと、フック５７はスプリング６３の付勢力に抗してロック位置方向へ回転する。そして、フック５７の凹部５７ｄと、ポール６１の凸部６１ａとが係合し、フック５７のアンロック方向への回転が禁止され、ストライカ５３はフック５７の溝５７ａから離脱できない状態でロック状態となる。
【００４４】
上記構成によれば、以下のような効果が得られる。
【００４５】
(1) 図１に示すロック状態で、フック５７をアンロック位置方向へ回転させる大きな力が作用し、フック５７の第２凸部５７ｃが変形し、フック５７がアンロック位置方向へ回転しても、フック５７の第１面５７ｇがポール６１の第２面６１ｃに当接し、フック５７のアンロック位置方向への回転を禁止するので、ロック強度が高い。
【００４６】
(2) フック５７の凹部５７ｄは、フック５７の回転平面上の幅が内部に行くに従って狭くなっているので、ポール６１の凸部６１ａが必ずフック５７の凹部５７ｄのフック５７の回転方向と交差する２つの壁面に当接する。よって、ロック状態において、フック５７とポール６１との係合部分でのガタ音がない。
【００４７】
(3) フック５７がロック位置に位置する際では、フック５７の第１面５７ｇとポール６１の第２面６１ｃとの間には、隙間（ｓ）があるように、フック５７の第２凸部５７ｃとポール６１の凹部６１ｂとを設定したことにより、通常はフック５７の凹部５７ｄとポール６１の凸部６１ａとの１カ所の係合だけで、フック５７のアンロック位置方向への回転を禁止するので、フック５７とポール６１との係合がスムーズとなる。
【００４８】
(4) フック５７の第１面５７ｇは、平面であり、ポール６１の第２面６１ｃは、ポール６１の回転中心軸（Ｏ）を中心とした円弧面としたことにより、ポール６１の第２面６１ｃを押す力はポール６１の回転中心軸へ向かう。よって、ポール６１に作用する力の方向が一定となり、ポール６１の強度設計が容易となる。
【００４９】
更に、円弧面の中心をポール６１の回転中心軸としたことにより、ポール６１に大きな曲げモーメントが発生せず、ポール６１の強度を必要以上に大きくことがなく、ロック装置の軽量化、コストダウンを図れる。
【符号の説明】
【００５０】
５３  ストライカ
５７  フック
５７ａ  溝
５７ｄ  凹部
５７ｇ  第１面
６１  ポール
６１ａ  凸部
６１ｃ  第２面
６３  スプリング
【図１】
0005784997.tif 000002
【図２】
0005784997.tif 000003
【図３】
0005784997.tif 000004